(57)【要約】【課題】利用者にとっての利便性が高い表示システムを提供することである。【解決手段】実施形態の表示システムは、表示部と、受付部と、読取部と、経路取得部と、表示制御部とを持つ。表示部は、駅の施設内に配置され、情報を表示する。受付部は、利用者による目的地の入力操作を受け付ける。読取部は、利用者により翳された媒体から利用者が入場した入場駅に関する情報を読取る。経路取得部は、前記読取部により読取られた入場駅に関する情報と、前記受付部により受け付けられた目的地の情報とに基づいて、記憶部に記憶された鉄道の路線に関する路線情報を検索して、前記入場駅から前記目的地までの経路に関する情報を取得する。表示制御部は、前記経路取得部により取得された前記目的地までの経路に関する情報に基づく情報を前記表示部に表示させる。【選択図】図１
2018077790.tif 000002
【特許請求の範囲】
【請求項１】
駅の施設内に配置され、情報を表示する表示部と、
利用者による目的地の入力操作を受け付ける受付部と、
利用者により翳された媒体から利用者が入場した入場駅に関する情報を読取る読取部と、
前記読取部により読取られた入場駅に関する情報と、前記受付部により受け付けられた目的地の情報とに基づいて、記憶部に記憶された鉄道の路線に関する路線情報を検索して、前記入場駅から前記目的地までの経路に関する情報を取得する経路取得部と、
前記経路取得部により取得された前記入場駅から前記目的地までの経路に関する情報に基づく情報を前記表示部に表示させる表示制御部と、
を備える表示システム。
【請求項２】
前記読取部は、更に、前記媒体から特定利用可能区間を示す情報を読取り、
前記経路取得部により取得された経路に関する情報を参照し、前記読取部により読取られた前記特定利用可能区間を含む経路を選択する選択部を、更に備え、
前記表示制御部は、前記選択部により選択された経路に関する情報を前記表示部に表示させる、
請求項１記載の表示システム。
【請求項３】
前記特定利用可能区間は、予め支払われた運賃に基づいて、追加料金無しで利用可能な区間である、
請求項２記載の表示システム。
【請求項４】
前記選択部は、前記経路取得部により取得された経路に関する情報のうち、前記特定利用可能区間に対して支払われた運賃とは別に、追加で支払う運賃の安い経路を優先して選択する、
請求項２または請求項３記載の表示システム。
【請求項５】
前記読取部に媒体が翳された場合に、前記媒体に記憶された金額を示す情報から所定の料金を差し引く料金収受部を、更に備える、
請求項１から４のうちいずれか１項記載の表示システム。
【請求項６】
前記表示制御部は、前記料金収受部により前記媒体から前記所定の料金が差し引かれた場合に、前記経路に関する情報を前記表示部に表示させる、
請求項５記載の表示システム。
【請求項７】
情報を印刷する印刷部と、
前記印刷部に、前記経路取得部により取得された前記入場駅から前記目的地までの経路に関する情報に基づく情報を印刷させる印刷制御部とを、更に備え、
前記印刷制御部は、前記料金収受部により前記媒体に記憶された金額を示す情報から前記所定の料金が差し引かれた場合に、前記印刷部に前記経路に関する情報を印刷させる、
請求項５記載の表示システム。
【請求項８】
駅の施設内に配置され、情報を表示する表示部と、
利用者による目的地の入力操作を受け付ける受付部と、
自装置が設置された駅の識別情報と、前記受付部により受け付けられた目的地の情報とに基づいて、記憶部に記憶された鉄道の路線に関する路線情報を検索して、前記自装置が設置された駅から前記目的地までの経路に関する情報を取得する経路取得部と、
前記経路取得部により取得された前記自装置が設置された駅から前記目的地までの経路に関する情報に基づく情報を前記表示部に表示させる表示制御部と、
を備える表示システム。
【請求項９】
利用者により翳された媒体から特定利用可能区間を示す情報を読取る読取部と、
前記経路取得部により取得された経路に関する情報を参照し、前記読取部により読取られた特定利用可能区間を含む経路を選択する選択部とを、更に備え、
前記表示制御部は、前記選択部により選択された経路に関する情報を前記表示部に表示させる、
請求項８記載の表示システム。
【発明の詳細な説明】
【技術分野】
【０００１】
本発明の実施形態は、表示システムに関する。
【背景技術】
【０００２】
従来、入場駅から出場駅までにどのような経路があるか、その経路の運賃はどれくらいかなどの情報を提供する装置が知られている。しかしながら、利用者は、この装置に対して入場駅と出場駅の双方の情報を入力する必要があり、利用者にとっての利便性が低い場合があった。
【先行技術文献】
【特許文献】
【０００３】
【特許文献１】特開平７−１９２１５０号公報
【特許文献２】特開平７−２４２１７４号公報
【発明の概要】
【発明が解決しようとする課題】
【０００４】
本発明が解決しようとする課題は、利用者にとっての利便性が高い表示システムを提供することである。
【課題を解決するための手段】
【０００５】
実施形態の表示システムは、表示部と、受付部と、読取部と、経路取得部と、表示制御部とを持つ。表示部は、駅の施設内に配置され、情報を表示する。受付部は、利用者による目的地の入力操作を受け付ける。読取部は、利用者により翳された媒体から利用者が入場した入場駅に関する情報を読取る。経路取得部は、前記読取部により読取られた入場駅に関する情報と、前記受付部により受け付けられた目的地の情報とに基づいて、記憶部に記憶された鉄道の路線に関する路線情報を検索して、前記入場駅から前記目的地までの経路に関する情報を取得する。表示制御部は、前記経路取得部により取得された前記目的地までの経路に関する情報に基づく情報を前記表示部に表示させる。
【図面の簡単な説明】
【０００６】
【図１】表示システム１の機能構成を示す図。
【図２】駅構内に設けられた表示装置２０の一例を示す図。
【図３】表示部３４に表示される画像ＩＭの一例を示す図。
【図４】媒体Ｍの一例を示す図。
【図５】表示装置２０の制御部７０を中心とした機能構成を示す図。
【図６】表示装置２０により実行される処理の流れを示すフローチャート。
【図７】目的地の入力操作を受け付ける受付画像ＩＭ１の一例を示す図。
【図８】表示装置２０により導出される経路について説明するための図。
【図９】表示部３４に表示される経路を含む画像ＩＭ２の一例を示す図。
【図１０】駅構外に設けられた表示装置２０により実行される処理の流れを示すフローチャート。
【図１１】駅構外に設けられた表示装置２０により選択される経路について説明するための図。
【図１２】表示部３４に表示される経路を含む画像ＩＭ３の一例を示す図。
【図１３】第２の実施形態の表示装置２０により実行される処理の流れを示すフローチャート。
【図１４】第３の実施形態の表示装置２０により実行される処理の流れを示すフローチャート。
【発明を実施するための形態】
【０００７】
以下、実施形態の表示システムを、図面を参照して説明する。
【０００８】
（第１の実施形態）
図１は、表示システム１の機能構成を示す図である。表示システム１は、例えば、Ａ駅システム１０Ａと、Ｂ駅システム１０Ｂと、管理装置１００とを備える。Ａ駅システム１０Ａと、Ｂ駅システム１０Ｂと、管理装置１００とは、ＷＡＮ（Wide Area Network）や、ＬＡＮ（Local Area Network）、セルラー通信網、インターネット等を含むネットワークＮＷを介して互いに通信する。なお、図示する例では、表示システム１は、２つの駅システム（１０Ａおよび１０Ｂ）を備えるものとしているが、３つ以上の駅システムを備えてもよい。
【０００９】
Ａ駅システム１０Ａは、表示装置２０Ａ−１から２０Ａ−ｎ（「ｎ」は任意の自然数）と、不図示の自動改札機や、券売機、駅係員端末等を備える。Ｂ駅システム１０Ｂは、表示装置２０Ｂ−１から２０Ｂ−ｎと、不図示の自動改札機や、券売機、駅係員端末等を備える。以下、Ａ駅システム１０ＡからＢ駅システム１０Ｂを、特段、区別しない場合は、単に「駅システム１０」と称する。また、以下、表示装置２０Ａ−１から２０Ａ−ｎに含まれる表示装置と、表示装置２０Ｂ−１から２０Ｂ−ｎに含まれる表示装置とのうち、表示装置を特定する必要がない場合、単に「表示装置２０」と称する。
【００１０】
まず、管理装置１００について説明する。管理装置１００は、例えば、記憶部１１０と、管理部１２０とを備える。記憶部１１０には、例えば、鉄道の路線を示す情報や、鉄道の運行状況に関する情報、鉄道の各区間の運賃の情報等が記憶されている。管理装置１００は、外部の情報機関や各駅の駅システム１０から、上述した情報を取得し、記憶部１１０に記憶させる。管理部１２０は、記憶部１１０に記憶された情報を駅システム１０に送信する。管理部１２０は、所定時間ごとに記憶部１１０に記憶された情報を駅システム１０に送信してもよいし、駅システム１０により送信された要求に応答して情報を駅システム１０に送信してもよい。
【００１１】
表示装置２０は、例えば、駅構内に設けられる。表示装置２０は、例えば、駅のホームや、駅のホームと改札口とを結ぶ連絡路に設けられる。表示装置２０は、例えば、連絡路の柱や、専用の支柱に設けられる。
【００１２】
図２は、駅構内に設けられた表示装置２０の一例を示す図である。表示装置２０は、例えば、タッチパネル部３０と、リーダライタ４０と、印刷出力部５０と、制御部７０とを備える。タッチパネル部３０は、受付部３２と、表示部３４とが一体として形成された、いわゆるタッチパネルである。タッチパネル部３０は、例えば、人が視認しやすい大きさであり、且つ人が視認しやすい高さに設けられる。受付部３２は、例えば、利用者が入力操作するための、グラフィカル・ユーザ・インタフェース（ＧＵＩ；Graphical User Interface）である。表示部３４は、例えば、ＬＣＤ（Liquid Crystal Display）や有機ＥＬ（Electroluminescence）ディスプレイなどの表示装置を含む。表示部３４は、後述する制御部７０の制御に基づいて各種画像を表示する。
【００１３】
図３は、表示部３４に表示される画像ＩＭの一例を示す図である。画像ＩＭは、例えば、鉄道の運行情報や、当該駅の構内の地図を示す情報、当該駅の周辺地図を示す情報、周辺施設の案内を示す情報、観光名所を示す観光情報、路線図を示す情報、トイレの位置を示す情報、エレベータの位置を示す情報等が含まれる。また、画像ＩＭには、言語を選択するための言語選択ボタンが含まれてもよい。例えば、言語選択ボタンが操作され、所定の言語が選択されると、画像ＩＭは選択された言語に対応する画像に変更される。また、表示部３４には、画像ＩＭに代えて、広告や、ニュースなどの情報が表示されてもよい。表示部３４に表示される画像の情報は、制御部７０が備える記憶部に記憶されていてもよいし、ネットワークＮＷを介して管理装置１００などの他装置から取得されてもよい。
【００１４】
なお、受付部３２は、ＧＵＩに代えて（加えて）、例えば、ボタン、キーボード、マウス、マイク、タッチパネル等のユーザインターフェースであってもよい。
【００１５】
図２の説明に戻る。リーダライタ４０は、例えば、タッチパネル部３０の右端（または左端）に設けられる。また、リーダライタ４０は、利用者が媒体をリーダライタ４０に対して翳しやすい位置に設けられる。リーダライタ４０は、利用者により翳された媒体と通信することで、媒体に記憶された情報を読取る。リーダライタ４０は、「読取部」の一例である。
【００１６】
リーダライタ４０は、例えば、第１通信部４２と、アンテナ４４とを備える。第１通信部４２は、コントローラや、変調部、復調部等を備える。コントローラは、変調部および復調部を制御する。変調部は、コマンド（信号）を所定の周波数帯を有する電波に重畳させて、その電波をアンテナ４４に発信させる。また、復調部は、アンテナ４４を介して取得した電波に含まれる情報を復調し、復調した情報（コマンド）を制御部７０に出力する。
【００１７】
ここで、本実施形態の表示システム１において、利用される媒体Ｍについて説明する。図４は、媒体Ｍの一例を示す図である。媒体Ｍは、無線通信機能を有する媒体である。媒体Ｍは、例えば、基材１５０と、チップ１６０と、アンテナ１７０とを備える。チップ１６０は、例えば、基材１５０に漉き込まれたパッシブタイプのＩＣ（Integrated Circuit）チップである。チップ１６０は、ＲＦＩＤ（Radio Frequency IDentifier）技術によって、リーダライタ４０との間で情報を送受信する。チップ１６０は、リーダライタ４０により送信されたコマンド（信号）に応答して情報を送信する、コマンドレスポンス方式に基づいて処理を実行する。チップ１６０は、例えば、送受信部１６２、制御回路１６４、記憶部１６６などを備える。送受信部１６２は、表示装置２０により送信された電波に含まれる情報を復調したり、情報を重畳するための電波を生成し、生成した電波に情報を重畳したりする。
【００１８】
制御回路１６４は、例えば、ＣＰＵ（Central Processing Unit）等のプロセッサである。制御回路１６４は、表示装置２０により送信されたコマンドの内容に応じて、記憶部１６６に情報を書き込んだり、記憶部１６６に書き込まれた情報を読み出したりする。また、制御回路１６４は、記憶部１６６に記憶された情報を読み出し、送受信部１６２およびアンテナ１７０を用いて、読み出した情報を表示装置２０に送信する。
【００１９】
記憶部１６６には、制御回路１６４により実行されるプログラムや、効力情報、電子マネーのチャージ金額、利用者が通過した駅の情報（例えば入場駅）等が記憶されている。効力情報とは、利用者が利用することができる鉄道の利用区間（例えば○○駅から××駅まで）、利用可能な期間（例えば発行日当日のみ有効）などの情報である。また、効力情報は、無料区間を示す情報である無料区間情報を含んでもよい。無料区間情報は、「特定利用可能区間」を示す情報の一例である。無料区間は、予め支払われた運賃に基づいて、追加料金無しで利用可能な区間である。無料区間は、例えば、利用者が無料で利用することができる鉄道路線の区間や、定期乗車券によって定められた区間等である。効力情報は、例えば、媒体Ｍが発券されるときに発券機（不図示）により記憶部１６６に記憶される。また、利用者が通過した駅の情報は、利用者が駅に設けられた自動改札機を通過する際に、利用者が自動改札機のリーダライタに媒体Ｍを翳したときに、自動改札機によって媒体Ｍに書込まれる情報である。
【００２０】
印刷出力部５０は、タッチパネル部３０に表示された情報が印刷された用紙を出力する。印刷出力部５０は、例えば、リーダライタ４０の下側（鉛直方向側）に設けられる。印刷出力部５０は、利用者が出力された用紙を取りやすい位置に設けられる。
【００２１】
図５は、表示装置２０の制御部７０を中心とした機能構成を示す図である。表示装置２０は、上述したタッチパネル部３０、リーダライタ４０、印刷出力部５０に加え、更に、印刷部５２と、制御部７０とを備える。
【００２２】
制御部７０は、例えば、記憶部７２と、情報処理部８０と、経路探索部８２と、経路選択部８４と、料金収受部８６と、印刷制御部９０と、表示制御部９２とを備える。記憶部７２は、例えば、ＲＡＭ（Random Access Memory）やＲＯＭ（Read Only Memory）、ＨＤＤ（Hard Disk Drive）、フラッシュメモリ等の記憶装置により実現される。情報処理部８０と、経路探索部８２と、経路選択部８４と、料金収受部８６と、印刷制御部９０と、表示制御部９２とは、ＣＰＵ等のプロセッサがプログラムを実行することで実現される。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアで実現されてもよい。なお、これらの機能部のうち、全部または一部は、管理装置１００または他の装置に分散されてもよい。
【００２３】
記憶部７２には、路線情報７４や、運賃情報７６、遅延情報７８、地図情報等が記憶されている。路線情報７４は、駅と駅とを結ぶ路線の一覧を示す情報である。運賃情報７６は、区間ごとの運賃を示す情報である。遅延情報７８は、鉄道の運行の遅延を示す情報である。路線情報７４と、運賃情報７６と、遅延情報７８とは、管理装置１００から送信された情報である。また、路線情報７４と、運賃情報７６と、遅延情報７８とは、可搬式の記憶媒体に記憶され、制御部７０は、可搬式の記憶媒体から情報を取得し、取得した情報を記憶部７２に記憶させてもよい。路線情報７４と、運賃情報７６と、遅延情報７８とのうち、少なくとも路線情報７４を含む情報は、「鉄道の路線に関する路線情報」の一例である。
【００２４】
情報処理部８０は、リーダライタ４０により読取られた入場駅に関する情報と、受付部３２により受け付けられた目的地の情報とを取得する。
【００２５】
経路探索部８２は、リーダライタ４０により読取られた入場駅に関する情報と、受付部３２により受け付けられた目的地の情報とに基づいて、記憶部７２に記憶された鉄道の路線に関する路線情報７４を検索して、入場駅から目的地までの経路に関する情報を導出（取得）する。経路探索部８２は、「経路取得部」の一例である。
【００２６】
経路選択部８４は、後述する予め設定された基準に基づいて、経路探索部８２により取得された経路に関する情報を選択する。経路選択部８４は、例えば、経路探索部８２により取得された経路に関する情報を参照し、リーダライタ４０により読取られた無料区間情報を含む経路を選択する。
【００２７】
料金収受部８６は、リーダライタ４０に対して媒体Ｍが翳された場合に、媒体Ｍの記憶部１６６に記憶されたチャージ金額から料金を差し引く。
【００２８】
印刷制御部９０は、情報を印刷する印刷部５２に情報を印刷させる。印刷部５２は、ロール紙などの用紙を含む。印刷部５２は、印刷制御部９０の制御に基づいて、用紙に所定の画像を印刷する。表示制御部９２は、経路探索部８２により取得された入場駅から目的地までの経路に関する情報に基づく情報を表示部３４に表示させる。表示制御部９２は、例えば、経路探索部８２により取得された入場駅から目的地までの経路に関する情報に基づいて、表示部３４に表示させるための画像を生成し、生成した画像を表示部３４に表示させる。
【００２９】
図６は、表示装置２０により実行される処理の流れを示すフローチャートである。通常（利用者が表示装置２０を操作していない場合）、表示部３４には、例えば、図３で示した情報が表示されている。この状態において、表示制御部９２は、所定の操作が実行されるまで待機する（ステップＳ１００）。所定の操作とは、利用者によって実行される操作であって、目的地までの経路を探索することを指示する操作である。利用者によって、受付部３２に対して所定の操作が実行されると、表示制御部９２は、表示部３４に、リーダライタ４０に媒体Ｍを翳すことを指示する情報を表示させる（ステップＳ１０２）。
【００３０】
リーダライタ４０は、媒体Ｍが翳されるまで待機する（ステップＳ１０４）。媒体Ｍがリーダライタ４０に翳されると、情報処理部８０は、リーダライタ４０が媒体Ｍと通信することによって読取られた情報を取得する（ステップＳ１０６）。媒体Ｍに入場駅の情報が含まれる場合、ステップＳ１０６で読取られる情報は入場駅の情報であり、媒体Ｍに入場駅の情報および無料区間情報が含まれる場合、ステップＳ１０６で取得される情報は入場駅および無料区間情報である。本処理では、入場駅および無料区間情報が読取られたものとして説明する。また、ステップＳ１０６で媒体Ｍに記憶されているチャージ金額の情報が取得される。
【００３１】
次に、料金収受部８６が、媒体Ｍに記憶されているチャージ金額から所定の料金を差し引くことができるか否かを判定する（ステップＳ１０８）。料金を差し引くことができない場合（チャージ金額が不足している場合）、本フローチャートの処理は終了する。料金を差し引くことができる場合、料金収受部８６は、差し引き後のチャージ金額を媒体Ｍの記憶部１６０に書き込む（ステップＳ１１０）。
【００３２】
次に、情報処理部８０が、ステップＳ１０６で入場駅の情報を取得したか否かを判定する（ステップＳ１１２）。入場駅の情報を取得した場合、表示制御部９２が、目的地の入力操作を受け付ける受付画像を表示部３４に表示させ（ステップＳ１１４）、目的地の入力操作を受け付けるまで、所定時間、待機する（ステップＳ１１６）。目的地は、例えば、駅や、地域、観光名所、建物等である。
【００３３】
なお、媒体Ｍの記憶部１６６には、入場駅の情報と、無料区間情報とに加え、更に、利用者が使用する言語の情報が含まれてもよい。ステップＳ１０６で言語の情報が取得された場合、表示制御部９２は、表示部３４に表示される画像を、取得した言語の情報に応じて切り替える。切り替えられる画像は、画像に含まれる情報が、利用者が利用する言語で表現されたものである。これにより、表示制御部９２は、利用者が使用する言語で表現された情報を含む画像を表示部３４に表示させることができる。なお、表示部３４に表示される画像は、言語ごとに用意され、用意された画像は記憶部７２に記憶されている。
【００３４】
図７は、目的地の入力操作を受け付ける受付画像ＩＭ１の一例を示す図である。受付画像ＩＭ１には、例えば、駅名に基づいて目的地の選択を受け付ける受付ボタンＢ１、地名に基づいて目的地の選択を受け付ける受付ボタンＢ２、観光名所に基づいて目的地の選択を受け付ける受付ボタンＢ３、および路線図に基づいて目的地の選択を受け付ける受付ボタンＢ４が含まれる。利用者が任意のボタンを選択すると、表示制御部９２は、選択されたボタンの操作に応じて表示部３４に表示させる画像を変更させる。例えば、表示制御部９２は、地名に基づいて目的地の選択を受け付ける受付ボタンＢ２が選択された場合、記憶部７２に記憶された地図情報を読み出して、選択された地名を含む地域の地図情報を表示部３４に表示させる。例えば、表示制御部９２は、路線図から目的地の選択を受け付ける受付ボタンＢ４が選択された場合、記憶部７２に記憶された路線情報７４を読み出して、表示装置２０が設けられた駅を含む路線図を表示部３４に表示させる。表示部３４に表示された画像において、利用者により目的地が選択されると、情報処理部８０は、利用者の目的地を取得する。
【００３５】
ステップＳ１１２で入場駅の情報を取得できなかった場合、本フローチャートの処理は終了する。また、入場駅の情報を取得できなかった場合、本フローチャートの処理が終了することに代えて、利用者によって入場駅の情報が受付部３２に対して入力操作されることによって入場駅の情報が取得されてもよいし、表示装置２０が設けられた駅を入場駅とみなして、ステップＳ１１２以降の処理を実行してもよい。
【００３６】
ステップＳ１１６で目的地が入力されると、経路探索部８２が、情報処理部８０により取得された入場駅および目的地の情報に基づいて、記憶部７２に記憶された鉄道の路線に関する路線情報７４を検索して、入場駅から目的地までの経路に関する情報を導出する（ステップＳ１１８）。
【００３７】
次に、経路探索部８２は、検索した経路に対して、ステップＳ１０６で取得された無料区間情報を参照して、無料区間情報の無料区間の運賃を差し引いた運賃を導出する（ステップＳ１２０）。次に、経路選択部８４は、経路探索部８２により探索された経路のうち、予め設定された基準に基づいて、経路を選択する（ステップＳ１２２）。予め設定された基準は、例えば、運賃が安いことや、早く目的地に到着することができること、乗換が少ないことなどである。また、経路選択部８４は、上述した基準を総合的に評価して得られたおすすめ経路を選択してもよい。本処理では、予め設定された基準として、運賃が安いことが設定されているものとする。この場合、経路選択部８４は、無料区間情報の無料区間に対して支払われた運賃とは別に、追加で支払う運賃の安い経路を優先して選択する。次に、表示制御部９２は、経路選択部８４により選択された経路を表示部３４に表示させる（ステップＳ１２４）。これにより、本フローチャートの処理は終了する。
【００３８】
図８は、表示装置２０により導出される経路について説明するための図である。例えば、利用者の入場駅がＡ駅、目的地がＸ駅であるものとする。また、無料区間情報は、Ａ駅からＨ駅の区間を含む路線ＦＰであるものとする。そして、経路１として、路線Ｒ１を利用してＡ駅からＸ駅まで向かうのに必要な運賃は「３００円」であり、経路２として、Ａ駅からＢ駅を経由して路線Ｒ２を利用してＸ駅まで向かうのに必要な運賃は、「２００円」であるものとする。この場合、経路選択部８４は、運賃が安い経路２を選択する。
【００３９】
図９は、表示部３４に表示される経路を含む画像ＩＭ２の一例を示す図である。画像ＩＭ２には、１以上の経路に関する情報が含まれる。例えば、上述したように経路に関する情報は、運賃が安い順に並べられて表示される。経路に関する情報には、例えば、運賃や、入場駅から利用者が利用する列車が出発する時刻、列車が乗換駅へ到着する時刻、列車が乗換駅から出発する時刻、列車が目的地の駅に到着する時刻等が含まれる。なお、経路探索部８２は、遅延情報７８を参照して、目的地までの経路を導出するため、列車に遅延が生じている場合、遅延時間が反映された到着時刻が導出される。また、経路選択部８４は、運賃が安く、且つ到着時刻が最短経路を利用した場合に比して所定時間以内の経路を選択してもよい。
【００４０】
また、画像ＩＭ２には、経路を並び換えるため（予め設定された基準を変更するため）の変更ボタンが含まれる。変更ボタンは、例えば、乗換が少ない順に経路を並べ替えるためのボタンＢ５、および到着時間が早い順に経路を並べ替えるためのボタンＢ６を含む。例えば、利用者によりボタンＢ５が操作されると、経路選択部８４は、利用者の受付部３２の操作に応じて、経路検索部８２により検索された経路を、乗換が少ない順に並べ替て、乗換が少ない順から所定数の経路を選択する。表示制御部９２は、経路選択部８４により選択された経路を表示部３４に表示させる。なお、目的地として観光名所（駅から離れた目的地）が選択されている場合、表示制御部９２は、最寄りの駅から観光名所（目的地）までの地図情報を表示部３４に表示させてもよい。
【００４１】
上述したように、表示装置２０は、リーダライタ４０により読取られた入場駅の情報と、受付部３２に入力操作された目的地の情報とに基づいて、入場駅から目的地までの経路を取得し、取得した経路を表示部３４に表示させる。また、表示装置２０は、入場駅から目的地までの経路のうち、リーダライタ４０により読取られた無料区間情報に示される区間を含む経路を選択して、表示部３４に表示させる。この結果、表示装置２０は、利用者にとっての利便性を向上させることができる。
【００４２】
例えば、観光客が、ある地域を観光する場合、鉄道に関して、所定の期間の間、所定の区間を自由に利用することができる（無料区間情報を含む）媒体Ｍを利用する場合がある。また、観光客が目的地に移動するとき、目的地までの経路を知らない場合がある。このような状況において、観光客が、入場駅に設けられた表示装置２０に媒体Ｍを翳し、目的地を入力すると、当該駅から目的地までの経路が、表示部３４に表示される。また、表示部３４に表示される経路は、無料区間情報が加味された運賃の安い経路である。このように利用者にとって有益な経路が表示部３４に表示されるため、利用者の利便性が向上する。
【００４３】
［駅構外に設けられる表示装置］
上述した例では、表示装置２０が駅構内に設けられるものとして説明したが、表示装置２０は、駅構外に設けられてもよい。以下、これについて、駅構内に設けられた表示装置２０との相違点について補足する。
【００４４】
表示装置２０は、例えば、駅の施設内、且つ駅構外（例えば券売機が設けられた位置付近や、駅の入口付近）に設けられてもよい。表示装置２０の記憶部７２には、例えば、路線情報７４と、運賃情報７６と、遅延情報７８とに加え、更に、自装置が設けられた駅の識別情報と、自装置が設けられた駅周辺の駅の情報とが記憶される。また、路線情報７４には、自装置が設けられた駅の識別情報が、自装置が設けられた駅に対応付けられている。情報処理部８０は、記憶部７２に記憶された駅の識別情報と、受付部３２により受け付けられた目的地の情報を取得する。経路検索部８２は、記憶部７２に記憶された駅の識別情報と、受付部３２により受け付けられた目的地の情報とに基づいて、記憶部７２に記憶された鉄道の路線に関する路線情報７４を検索して、自装置が設けられた駅から目的地までの経路に関する情報を導出する。
【００４５】
図１０は、駅構外に設けられた表示装置２０により実行される処理の流れを示すフローチャートである。まず、表示制御部９２は、所定の操作が実行されるまで待機する（ステップＳ２００）。次に、表示制御部９２が、目的地の入力操作を受け付ける受付画像を表示部３４に表示させ（ステップＳ２０２）、目的地の入力操作を受け付けるまで、所定時間、待機する（ステップＳ２０４）。
【００４６】
目的地が入力されると、経路探索部８２が、情報処理部８０により取得された自装置が設置された駅の識別情報と、受付部３２により受け付けられた目的地の情報に基づいて、記憶部７２に記憶された鉄道の路線に関する路線情報７４を検索して、自装置が設置された駅から目的地までの経路に関する情報を導出する（ステップＳ２０６）。本処理では、後述する図１１で説明するように、経路探索部８２は、自装置が設けられた駅とは異なる駅を入場駅として経路を導出してもよい。この入場駅は、自装置が設けられた駅から徒歩圏内、または所定距離以内の駅である。
【００４７】
次に、表示制御部９２が、利用者に対して、無料区間情報が記憶された媒体Ｍを持っている場合は、リーダライタ４０に翳すことを要求することを示す情報を表示部３４に表示させる（ステップＳ２０８）。次に、情報処理部８０は、リーダライタ４０に媒体Ｍが翳されたか否かを判定する（ステップＳ２１０）。所定時間の間に、媒体Ｍがリーダライタ４０に翳されない場合、本フローチャートの処理は終了する。
【００４８】
媒体Ｍがリーダライタ４０に翳されると、情報処理部８０は、リーダライタ４０が媒体Ｍと通信することによって読取られた情報を取得する（ステップＳ２１２）。次に、経路探索部８２は、ステップＳ２０６で検索された経路に対して、ステップＳ２１２で取得された無料区間情報の無料区間の運賃を差し引いた運賃を導出する（ステップＳ２１４）。なお、無料区間情報が媒体Ｍに記憶されていない場合、ステップＳ２１４の処理は省略される。
【００４９】
次に、料金収受部８６が、媒体Ｍの記憶部１６６に記憶されているチャージ金額から所定の料金を差し引くことができるか否かを判定する（ステップＳ２１６）。媒体Ｍの記憶部１６０に記憶されているチャージ金額から所定の料金を差し引くことができない場合、本フローチャートの処理は終了する。チャージ金額から所定の料金を差し引くことができる場合、料金収受部８６は、差し引き後のチャージ金額を媒体Ｍの記憶部１６０に書き込む（ステップＳ２１８）。なお、チャージ金額から差し引く料金は、固定値であってもよいし、変動値であってもよい。変動値である場合、経路の複雑度合から差し引く料金が決定されてもよい。より具体的には、料金収受部８６は、経路探索部８２により導出された経路が、複数の鉄道会社を乗り継ぐ経路の場合、その経路で利用する鉄道会社の数に基づいて、料金を決定する。例えば、鉄道会社の数が多いほど、料金は高く設定される。
【００５０】
また、チャージ金額から料金が差し引かれるタイミングは、任意のタイミングでよい。例えば、チャージ金額から料金が差し引かれるタイミングは、ステップＳ２２２の後、または経路が導出される（ステップＳ２０６の）前であってもよいし、導出された経路を示す情報を用紙に印刷する指示がされた後であってもよい。
【００５１】
次に、経路選択部８４は、経路探索部８２により探索された経路のうち、予め設定された基準に基づいて、経路を選択する（ステップＳ２２０）。なお、本処理では、予め設定された基準として、目的地までの到着時間が早いことが設定されているものとする。次に、表示制御部９２が、表示部３４に、経路選択部８４により選択された経路を示す情報を含む画像を表示させる（ステップＳ２２２）。これにより、本フローチャートの処理は終了する。
【００５２】
ここで、ステップＳ２２０で選択される経路について説明する。図１１は、駅構外に設けられた表示装置２０により選択される経路について説明するための図である。例えば、表示装置２０が設けられた駅がＥ駅、目的地がＮ駅であるものとする。Ｌ駅は、Ｅ駅に対して徒歩圏内に位置する駅である。経路探索部８２は、ステップＳ２０６でＥ駅からＮ駅までの経路を探索する。経路探索部８２は、例えば、Ｅ駅からＣ駅を経由してＮ駅に向かう経路３と、Ｅ駅からＬ駅まで徒歩で移動してＬ駅からＮ駅に向かう経路４とを導出する。この場合、経路選択部８４は、目的地まで最短時間で到着することができる経路４を選択する。
【００５３】
図１２は、表示部３４に表示される経路を含む画像ＩＭ３の一例を示す図である。画像ＩＭ３には、１以上の経路に関する情報が含まれる。例えば、上述したように経路に関する情報は、目的地に到着する時刻が早い順に並べられて表示部３４に表示される。また、上述した経路４には、Ｅ駅からＬ駅まで徒歩で移動することが含まれるため、画像ＩＭ３には、Ｅ駅からＬ駅まで徒歩で移動する場合の経路（地図情報）が含まれる。また、画像ＩＭ３には、予め設定された基準を変更するための変更ボタンとして、乗換が少ない順に経路を並べ替えるためのボタンＢ５、および運賃が安い順に経路を並べ替えるボタンＢ７が含まれる。例えば、利用者によりボタンＢ７が操作されると、経路選択部８４は、利用者の受付部３２に対する入力操作に応じて、経路検索部８２により検索された経路を、運賃が安い順に並べ替て、運賃が安い順から所定数の経路を選択する。表示制御部９２は、経路選択部８４により選択された経路を表示部３４に表示させる。
【００５４】
上述したように、表示装置２０は、自装置が設けられた駅の識別情報と、受付部３２に入力操作された目的地の情報とに基づいて、当該駅から目的地までの経路を取得し、取得した経路を表示部３４に表示させる。また、表示装置２０は、予め設定された基準に基づいて、自装置が設けられた駅の近くに存在する駅から目的地までの経路を導出し、導出した経路を表示部３４に表示させる。この結果、表示装置２０は、利用者にとっての利便性を向上させることができる。
【００５５】
なお、上述した例では、駅構外に設けられる表示装置２０は、自装置が設けられた駅の近くに存在する駅から目的地までの経路を導出するものとしたが、これに加えて（代えて）、自装置が設けられた駅、または駅の近くから乗車することができる交通機関（例えばバス）を加味して、経路を導出してもよい。この場合、記憶部７２には、バスの路線図や、バスの運行状況を示す情報などが記憶されている。
【００５６】
また、上述した例では、経路探索部８２は、表示装置２０に含まれるものとして説明したが、経路探索部８２と同等の機能部は、管理装置１００に含まれてもよい。この場合、管理装置１００が、入場駅の情報、または自装置が設置された駅の識別情報と、目的地の情報とに基づいて、経路を導出し、導出した経路を表示装置２０に送信する。なお、入場駅の情報、または自装置が設置された駅の識別情報と、目的地の情報とは、表示装置２０から送信された情報である。
【００５７】
以上説明した第１の実施形態によれば、経路探索部８２が、リーダライタ４０により読取られた入場駅に関する情報と、受付部３２により受け付けられた目的地の情報とに基づいて、記憶部７２に記憶された鉄道の路線に関する路線情報７４を検索して、入場駅から目的地までの経路に関する情報を取得し、取得した入場駅から目的地までの経路に関する情報に基づく情報を表示部３４に表示させることにより、利用者にとっての利便性を向上させることができる。
【００５８】
（第２の実施形態）
以下、第２の実施形態における表示システム１について説明する。第１の実施形態における表示システム１では、チャージ金額から料金が差し引かれた場合に、導出された経路を表示部３４に表示させるものとして説明した。これに対して、第２の実施形態の表示システム１は、経路を用紙に印刷させる場合に、チャージ金額から料金を差し引く。以下では、係る相違点を中心に説明し、共通する部分についての説明は省略する。
【００５９】
図１３は、第２の実施形態の表示装置２０により実行される処理の流れを示すフローチャートである。まず、表示制御部９２は、所定の操作が実行されるまで待機する（ステップＳ３００）。利用者によって、受付部３２に対して所定の操作が実行されると、表示制御部９２は、表示部３４に、リーダライタ４０に媒体Ｍを翳すことを指示する情報を表示させる（ステップＳ３０２）。
【００６０】
リーダライタ４０は、媒体Ｍが翳されるまで待機する（ステップＳ３０４）。媒体Ｍがリーダライタ４０に翳されると、情報処理部８０は、リーダライタ４０が媒体Ｍと通信することによって読取られた情報を取得する（ステップＳ３０６）。
【００６１】
次に、情報処理部８０が、ステップＳ３０６で入場駅の情報を取得したか否かを判定する（ステップＳ３０８）。入場駅の情報を取得することができなかった場合、本フローチャートの処理は終了する。入場駅の情報を取得した場合、表示制御部９２が、目的地の入力操作を受け付ける受付画像を表示部３４に表示させ（ステップＳ３１０）、目的地の入力操作を受け付けるまで、所定時間、待機する（ステップＳ３１２）。目的地が入力されると、経路探索部８２が、入場駅および目的地の情報に基づいて、記憶部７２に記憶された鉄道の路線に関する路線情報７４を検索して、入場駅から目的地までの経路に関する情報を導出する（ステップＳ３１４）。
【００６２】
次に、経路探索部８２は、検索した経路に対して、ステップＳ３０６で取得された無料区間情報を参照して、無料区間情報の無料区間の運賃を差し引いた運賃を導出する（ステップＳ３１６）。次に、経路選択部８４は、経路探索部８２により探索された経路のうち、予め設定された基準に基づいて、経路を選択する（ステップＳ３１８）。次に、表示制御部９２は、経路選択部８４により選択された経路を表示部３４に表示させる（ステップＳ３２０）。この画像には、経路を示す情報を用紙に印刷させることを指示する印刷ボタンが含まれる。次に、表示制御部９２は、印刷ボタンが操作されたか否かを判定する（ステップＳ３２２）。印刷ボタンが操作されなかった場合、本フローチャートの処理は終了する。印刷ボタンが操作された場合、表示制御部９２は、料金収受のために媒体Ｍをリーダライタ４０に翳すことを指示する情報を表示部３４に表示させる（ステップＳ３２４）。次に、リーダライタ４０は、利用者によって媒体Ｍが翳されるまで、所定時間の間、待機する（ステップＳ３２６）。
【００６３】
次に、媒体Ｍがリーダライタ４０に翳されると、料金収受部８６が、媒体Ｍの記憶部１６６に記憶されているチャージ金額から所定の料金を差し引くことができるか否かを判定する（ステップＳ３２８）。媒体Ｍの記憶部１６０に記憶されているチャージ金額から所定の料金を差し引くことができない場合（チャージ金額が不足している場合）、本フローチャートの処理は終了する。チャージ金額から所定の料金を差し引くことができる場合、料金収受部８６は、差し引き後のチャージ金額を媒体Ｍの記憶部１６０に書き込む（ステップＳ３３０）。次に、印刷制御部９０が、印刷部５２に、経路選択部８４により選択された経路を示す情報を含む画像を印刷させる（ステップＳ３３２）。これにより本フローチャートの１ルーチンは終了する。
【００６４】
以上説明した第２の実施形態によれば、経路が印刷された用紙が印刷される場合に、媒体Ｍに記憶されたチャージ金額から料金を差し引くため、第１の実施形態の効果と同様の効果を奏すると共に、印刷が必要な利用者から料金を収受するため、利用者にとっての利便性が更に向上する。
【００６５】
（第３の実施形態）
以下、第３の実施形態における表示システム１について説明する。第２の実施形態における表示システム１では、経路を用紙に印刷させる場合に、チャージ金額から料金を差し引くものとして説明した。これに対して、第３の実施形態の表示システム１は、経路を表示部３４に表示させる場合に、チャージ金額から料金を差し引く。以下では、係る相違点を中心に説明し、共通する部分についての説明は省略する。
【００６６】
図１４は、第３の実施形態の表示装置２０により実行される処理の流れを示すフローチャートである。図１４のステップＳ４００からステップＳ４１８は、図１３のステップＳ３００からステップＳ３１８と同様の処理のため、説明を省略する。ステップＳ４１８の後に、表示制御部９２は、表示部３４に、リーダライタ４０に媒体Ｍを翳すことを指示する情報を表示させる（ステップＳ４２０）。次に、リーダライタ４０は、利用者によって媒体Ｍが翳されるまで、所定時間の間、待機する（ステップＳ４２２）。
【００６７】
媒体Ｍがリーダライタ４０に翳されると、料金収受部８６が、媒体Ｍの記憶部１６６に記憶されているチャージ金額から所定の料金を差し引くことができるか否かを判定する（ステップＳ４２４）。媒体Ｍの記憶部１６０に記憶されているチャージ金額から所定の料金を差し引くことができない場合（チャージ金額が不足している場合）、本フローチャートの処理は終了する。チャージ金額から所定の料金を差し引くことができる場合、料金収受部８６は、差し引き後のチャージ金額を媒体Ｍの記憶部１６０に書き込む（ステップＳ４２６）。次に、表示制御部９２が、表示部３４に、経路選択部８４により選択された経路を示す情報を含む画像を表示させる（ステップＳ４２８）。これにより本フローチャートの１ルーチンの処理は終了する。
【００６８】
以上説明した第３の実施形態によれば、第１の実施形態と同様の効果を奏することができる。
【００６９】
以上説明した少なくともひとつの実施形態によれば、駅の施設内に配置され、情報を表示する表示部３４と、利用者による目的地の入力操作を受け付ける受付部３２と、利用者により翳された媒体Ｍから利用者が入場した入場駅に関する情報を読取るリーダライタ４０と、リーダライタ４０により読取られた入場駅に関する情報と、受付部３２により受け付けられた目的地の情報とに基づいて、記憶部７２に記憶された鉄道の路線に関する路線情報７４を検索して、入場駅から前記目的地までの経路に関する情報を取得する経路探索部８２と、経路探索部８２により取得された入場駅から目的地までの経路に関する情報に基づく情報を表示部３４に表示させる表示制御部９２とを持つことにより、利用者にとっての利便性が高い表示システムを提供することができる。
【００７０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７１】
１…表示システム、２０…表示装置、３０…タッチパネル部、３２…受付部、３４…表示部４０、４０…リーダライタ、５０…印刷出力部、５２…印刷部、７０…制御部、７２…記憶部、７４…路線情報、７６…運賃情報、７８…遅延情報、８０…情報処理部、８２…経路検索部、８４…経路選択部、８６…料金収受部、９０…印刷制御部、９２…表示制御部、１００…管理装置、１１０…記憶部、１２０…管理部、Ｍ…媒体
【図１】
2018077790.tif 000003
【図２】
2018077790.tif 000004
【図３】
2018077790.tif 000005
【図４】
2018077790.tif 000006
【図５】
2018077790.tif 000007
【図６】
2018077790.tif 000008
【図７】
2018077790.tif 000009
【図８】
2018077790.tif 000010
【図９】
2018077790.tif 000011
【図１０】
2018077790.tif 000012
【図１１】
2018077790.tif 000013
【図１２】
2018077790.tif 000014
【図１３】
2018077790.tif 000015
【図１４】
2018077790.tif 000016